(57)【特許請求の範囲】
【請求項１】
容器本体部と、計量部とからなる洗眼カップであって、
容器本体部は、側周壁と、楕円錐状の傾斜壁と、環状の底壁を具備しており、
計量部は、容器本体部の底壁内周縁から垂設された側周壁と、底壁とを具備しており、
容器本体部の底壁に、計量部の側周壁の短径側壁面の外側に、短径側壁の押圧による変形を吸収するように形成された短径側周壁に沿って延びる変形吸収部を配置していることを特徴とする洗眼カップ。
【請求項２】
洗眼カップが脚部を具え、脚部は、容器本体部の底壁から垂設され楕円形状の筒体に形成され、短径側壁面に計量部の側周壁と共通部分とした押圧部を具備していることを特徴とする請求項１記載の洗眼カップ。
【請求項３】
計量部の長径側壁面に突出壁を設けたことを特徴とする請求項１または２記載の洗眼カップ。
【請求項４】
容器本体部と計量部とからなる洗眼カップであって、
容器本体部は、下端に突出部を設けた側周壁と、楕円錐状の傾斜壁とを具備しており、
計量部は、側周壁と底壁とを具備し、
容器本体部の突出部と計量部の側周壁上端部との間を、接続部分を側周壁の押圧による変形を吸収するように形成された湾曲面として全周にわたって連続する接続壁によって連結していることを特徴とする洗眼カップ。
【請求項５】
洗眼カップが脚部を具え、脚部は、楕円形状の筒体に形成され、長径側端部は、容器本体部の側周壁から垂下し、短径側端部は、計量部の側周壁との共通部分を形成して押圧部となっていることを特徴とする請求項４記載の洗眼カップ。
【請求項６】
短径側端部が変形吸収部である全周に連続する連続壁より小径であり、脚部が、長径側端部と短径側端部との中間部では、連続壁を横断するように配設されていることを特徴とする請求項５記載の洗眼カップ。
【発明の詳細な説明】
【技術分野】
【０００１】
本発明は、洗眼カップ、とくに使用時における計量部の変形に対応する変形吸収部を設けた洗眼カップに関するものである。
【背景技術】
【０００２】
洗眼容器として、接眼部（１１）と液受部（１２）とからなる洗眼部（１３）とつまみ部（１４）とを有し、必要に応じてつまみ部（１４）を下向きにした容器を自立させるために、アダプター（１９）を設け、洗眼部（１３）とつまみ部（１４）とともに、弾性変形可能な柔軟素材で一体成形された洗眼容器は、従来より知られている（例えば、特許文献１参照）。
【０００３】
上記特許文献１記載の洗眼容器は、接眼部（１１）を眼に当て、つまみ部（１４）、またはアダプター（１９）を両側から押さえることによって液受部（１２）の洗眼液を眼にかけて洗眼するようにしている。
【特許文献１】特開２００５−１２５０８８号公報
【発明の開示】
【発明が解決しようとする課題】
【０００４】
しかしながら、上記従来の洗眼容器は、柔軟材料で一体成形しており、つまみ部（１４）と液受部（１２）との間は一様に連続しているから、つまみ部（１４）を押圧したときに、つまみ部（１４）の根元と液受部（１２）との間に応力が集中し、永く使用していると、つまみ部（１４）と液受部（１２）との接続部が伸びて、穴が開いたり、変形が元に戻らないことがあるという問題があった。
【０００５】
本発明は、上記問題を解決することを課題とし、計量部（つまみ部）を押圧して洗眼液を眼に注ぎ入れるときに、応力が集中する計量部（つまみ部）の押圧部と容器本体部（液受部）の接続部に、変形吸収部を設けて応力の集中を少なくして、容器の変形、とくに接続部の破損を防ぐようにした洗眼容器を提供することを目的とする。
【課題を解決するための手段】
【０００６】
本発明は、上記の課題を解決するため、洗眼カップとして、容器本体部と、計量部とからなる洗眼カップであって、容器本体部は、側周壁と、楕円錐状の傾斜壁と、環状の底壁を具備しており、計量部は、容器本体部の底壁内周縁から垂設された側周壁と、底壁とを具備しており、容器本体部の底壁に、計量部の側周壁の短径側壁面の外側に、短径側壁の押圧による変形を吸収するように形成された短径側周壁に沿って延びる変形吸収部を配置していることを特徴とする構成を採用する。
【０００７】
脚部を設けた洗眼カップとして、洗眼カップが脚部を具え、脚部は、容器本体部の底壁から垂設され楕円形状の筒体に形成され、短径側壁面に計量部の側周壁と共通部分とした押圧部を具備していることを特徴とする構成を採用する。
【０００８】
計量部の別実施例として、上記の各構成に、計量部の長径側壁面に突出壁を設けたことを特徴とする構成を付加する。
【０００９】
洗眼カップの別実施例として、容器本体部と計量部とからなる洗眼カップであって、容器本体部は、下端に突出部を設けた側周壁と、楕円錐状の傾斜壁とを具備しており、計量部は、側周壁と底壁とを具備し、容器本体部の突出部と計量部の側周壁上端部との間を、接続部分を側周壁の押圧による変形を吸収するように形成された湾曲面として全周にわたって連続する接続壁によって連結していることを特徴とする構成を採用する。
【００１０】
脚部を設けた洗眼カップの別実施例として、洗眼カップが脚部を具え、脚部は、楕円形状の筒体に形成され、長径側端部は、容器本体部の側周壁から垂下し、短径側端部は、計量部の側周壁との共通部分を形成して押圧部となっていることを特徴とする構成を採用する。
【００１１】
脚部の実施例として、上記構成に付加して、短径側端部が変形吸収部である全周に連続する連続壁より小径であり、脚部が、長径側端部と短径側端部との中間部では、連続壁を横断するように配設されていることを特徴とする構成を採用をする。
【発明の効果】
【００１２】
本発明は、容器本体部の底壁と計量部の押圧部との接続部に変形吸収部を設けたので、洗眼時の押圧にあたって、底壁の押圧方向への伸び、直交する方向への収縮に対応して変形吸収部が変形して、応力が集中することを緩和し、洗眼カップの破損を防ぐことができるようになった。
【発明を実施するための最良の形態】
【００１３】
次に、本発明の洗眼カップについて、実施例をあげ、図面を参照して説明する。
【実施例１】
【００１４】
図１において、Ａは本発明の洗眼カップであって、容器本体部１と計量部２、および脚部３とからなっており、弾性を有する柔軟材料で一体成形されている。
【００１５】
容器本体部１は、側周壁４と、その上方に楕円錐状に広がり、上端を接眼用の開口縁５とした傾斜壁６と、環状の底壁７とからなっている。
計量部２は、底壁７の内周縁から垂設された円筒状の側周壁８と、曲面形状の底壁９とからなっている。
【００１６】
脚部３は、底壁７から垂設する楕円形状の筒体として形成され、長径側端部１０は、底壁７の周縁から連設され、短径側端部１１は、計量部２の側周壁８との共通部分を形成し、押圧部１２となっている。
容器本体１の底壁７には、押圧部１２に対応する位置に、脚部３に沿って上方に突出する凸条、または下方に窪んだ凹溝が変形吸収部１３として設けられている。
【００１７】
容器本体部１の側周壁４の内周には、洗眼液を収納した容器の口部（図示しない）に係合する膨出突条１４が設けられている。
【００１８】
次に、本発明の洗眼カップの使用態様と作用効果について説明する。
洗眼にあたっては、洗眼カップＡ内に洗眼液を入れ、洗眼カップＡ上端の接眼用の開口縁５を、眼を囲むように顔面に押当て、脚部３の押圧部１２を両側から押圧すると、脚部３と計量部２が弾性変形し、洗眼カップＡ内の洗眼液を上方に押出すことができる。
【００１９】
押圧を繰り返して行うことによって、容器本体部１内の洗眼液が上下に大きく揺動して、充分な液を目に注ぎ、洗眼することができる。
その際、押圧部１２が押圧されることによって、容器本体部１の側周壁４と計量部２の側周壁８の間は、短径軸線上では、底壁７が中心に向かって伸びるように変形し、長径軸線上では、底壁７が長径側端部１１に向かって長さを収縮するように変形される。
【００２０】
図２に示すように、押圧部１２の外側には、変形吸収部１３が設けられているので、短径軸線上で変形吸収部１３が延ばされ、平坦になり、底壁７が延びるような状態になる。
したがって、底壁７と計量部２の接続部で、応力の集中が緩和され、弾性限界を超えて変形することを抑えることができ、接続部の破損を防ぐことができる。
【００２１】
また、長径軸方向での底壁７の収縮による変形も抑えられるので、全体として容器本体部１の破損を防ぐことができる。
【実施例２】
【００２２】
次に、脚部を設けない第２実施例について説明する。
本実施例は、第１実施例において、脚部を除いたもので、以下同一の構成部分には、添字ａを付して図示し、詳しい説明を省略する。
図３に示すように、洗眼カップＡａは、容器本体部１ａと計量部２ａとからなり、容器本体部１ａは、第１実施例と同じく、側周壁４ａと上端を開口縁５ａとした楕円錐状の傾斜壁６ａと環状の底壁７ａとからなっている。
【００２３】
計量部２ａは、底壁７ａの内周縁から垂設された円筒状の側周壁８ａと曲面形状の底壁９ａとからなっており、側周壁８ａの短径側の壁面は、押圧部１２ａとなっている。
【００２４】
容器本体部１ａの底壁７ａには、計量部２ａの押圧部１２ａに沿って、凸条、または凹溝によって変形吸収部１３ａが設けられている。
【００２５】
本実施例は、脚部がないので、洗眼カップＡａをテーブル上に正立させて載置しておくことができないが、洗眼にあたっては、変形吸収部１３ａの作用により、第１実施例と同様の作用効果を得ることができる。  
【実施例３】
【００２６】
次に、計量部の長径側壁面に突出部を形成した第３実施例について説明する。
以下、第１実施例と同一の構成部について、添字ｂを付して図示して説明する。
図４に示すように、洗眼カップＡｂは、容器本体部１ｂと計量部２ｂと脚部３ｂとからなり、容器本体部１ｂは、第１実施例と同じく、側周壁４ｂと、上端を開口縁５ｂとした楕円錐状の傾斜壁６ｂ、および環状の底壁７ｂとからなっている。
【００２７】
計量部２ｂは、底壁７ｂの内周縁から垂設された側周壁８ｂと、曲面形状の底壁９ｂとを具えており、側周壁８ｂの長径側壁面には、底壁７ｂ周縁から外側に円弧状に突出し、下方に縮径するように延びる突出壁１５が設けられている。
【００２８】
脚部３ｂは、底部７ｂから垂設する楕円形状の筒体として形成され、長径側端部１０ｂは、底壁７ｂの周縁から連設され、短径側端部１１ｂは、計量部２ｂと側周壁８ｂとの共通部分を形成し、押圧部１２ｂとなっている。
【００２９】
洗眼にあたって、押圧部１２ｂを押圧していくと、計量部２ｂは突出壁１５から折れはじめるので、変形が規則正しく容易に行われる。
また、押圧操作にあたっては、変形吸収部１３ｂによって、第１実施例と同様の作用効果を得ることができる。
【００３０】
本第３実施例においても、図５に示すように、脚部３ｂをなくすことができる。
この場合、計量部２ｂの短径側の壁面が押圧部１２ｂとなるので、第３実施例と同様の作用効果を得ることができる。
【実施例４】
【００３１】
次に、変形吸収部を全周に設けた第４実施例について説明する。
以下、第１実施例と同一の構成部分に添字ｃを付して図示して説明する。
図６に示すように、本実施例の洗眼カップＡｃは、容器本体部１ｃと計量部２ｃと脚部３ｃを具えている。
容器本体部１ｃは、側周壁４ｃと、その上方に楕円錐状に広がり、その上端を開口縁５ｃとした傾斜壁６ｃとを具えている。
計量部２ｃは、側周壁８ｃと曲面形状の底壁９ｃとからなっている。
【００３２】
側周壁４ｃの下端には、内方に突出する突出部２０が設けられ、突出部２０の内周から上方に湾曲して伸び、計量部２ｃの側周壁８ｃの上端部と弧状に接続する接続壁２１が設けられている。
突出部２０、接続壁２１、側周壁８ｃ上端部の各接続部分は、湾曲面で接続され、接続壁２１とその両端は、変形吸収部１３ｃとなっている。
【００３３】
脚部３ｃは、楕円筒状に形成され、長径側端部１０ｃは、容器本体部１ｃの側周壁４ｃから延びるように位置し、短径側端部１１ｃは、計量部２ｃの側周壁８ｃの短径側壁面との共通部分を形成し、押圧部１２ｃとなっている。 
【００３４】
長径側端部１０ｃと短径側端部１１ｃの中間部では、接続壁２１を横断するように連続されている。
【００３５】
次に、本実施例の作用効果について説明する。
洗眼にあたって、押圧部１２ｃを両側から押圧すると、接続壁２１が変形して容器本体部１ｃの側周壁４ｃと押圧部１２ｃの間隔は短径軸線方向に延び、長径軸線上では、側周壁４ｃと、計量部２ｃの側周壁８ｃの間隔は収縮される。
そして、間隔の延長と収縮は、接続壁２１の変形によって吸収されるので、容器本体部１ｃと計量部２ｃとの一定部分に応力が集中することなく、洗眼カップＡｃの破損を防止することができる。
【００３６】
本実施例においても、図７に示すように、脚部を除くことができる。
この場合、変形吸収部１３ｃは、全周にわたって同一の断面形状を有するので、押圧にあたって、計量室を短径方向だけでなく、いずれの方向から押圧してもよいので、使い勝手がよくなるという作用効果を得ることができる。  
【産業上の利用可能性】
【００３７】
本発明の洗眼カップは、容器本体部の底壁と、計量部の押圧部との接続部に変形吸収部を設けたので、押圧の繰り返しによる接続部の変形、破損を防ぐことができるようになり、洗眼カップとしての利用性を高めることができた。
【図面の簡単な説明】
【００３８】
【図１】本発明第１実施例の洗眼カップの説明図で、（ａ）は上面図、（ｂ）は一部断面正面図、（ｃ）は底面図である。
【図２】第１実施例の洗眼カップの側面図で、（ａ）は計量部押圧前、（ｂ）は押圧時の状態を示す図である。
【図３】第２実施例の洗眼カップの説明図で、（ａ）は一部断面正面図、（ｂ）は底面図、（ｃ）は側面図である。
【図４】第３実施例の洗眼カップの説明図で、（ａ）は一部断面正面図、（ｂ）は底面図、（ｃ）は一部断面側面図である。
【図５】第３実施例の変形例洗眼カップの説明図で、（ａ）は一部断面正面図、（ｂ）は底面図、（ｃ）は一部断面側面図である。
【図６】第４実施例の洗眼カップの説明図で、（ａ）は一部断面正面図、（ｂ）は底面図、（ｃ）は一部断面側面図である。
【図７】第４実施例の変形例洗眼カップの説明図で、（ａ）は一部断面正面図、（ｂ）は底面図、（ｃ）は一部断面側面図である。
【符号の説明】
【００３９】
Ａ、Ａａ、Ａｂ、Ａｃ      洗眼カップ
１、１ａ、１ｂ、１ｃ      容器本体部
２、２ａ、２ｂ、２ｃ      計量部
３、３ｂ、３ｃ            脚部
４、４ａ、４ｂ、４ｃ      側周壁
５、５ａ、５ｂ、５ｃ      開口縁
６、６ａ、６ｂ、６ｃ      傾斜壁
７、７ａ、７ｂ            底壁
８、８ａ、８ｂ、８ｃ      側周壁
９、９ａ、９ｂ、９ｃ      底壁
１０、１０ｂ、１０ｃ      長径側端部
１１、１１ｂ、１１ｃ      短径側端部
１２、１２ａ、１２ｂ、１２ｃ  押圧部
１３、１３ａ、１３ｂ、１３ｃ  変形吸収部
１４                      膨出突条
１５                      突出壁
２０                      突出部
２１                      接続壁
【図１】
0004837327.tif 000002
【図２】
0004837327.tif 000003
【図３】
0004837327.tif 000004
【図４】
0004837327.tif 000005
【図５】
0004837327.tif 000006
【図６】
0004837327.tif 000007
【図７】
0004837327.tif 000008